Podtech/llm-jp-corpus-v4-ja_patent huggingface dataset:
(57)【要約】【課題】指、握力が不自由でも片手で簡単容易に扱える洗濯バサミを提供する。【解決手段】被吊り下げ物自体の重量と補助バネだけで物を挟む力を生み出す構造であり、しかも片手だけで簡単容易に取り外しをも可能にした。【選択図】図２
2005052611.tif 000002
【特許請求の範囲】
【請求項１】
本体の下部両端にピンと弾性体によって取り付けられたフックの先端が互いに合わさる中心間隙を被吊り下げ物の挟み込み箇所とし、被吊り下げ物の重量と弾性体との相互作用により生じる圧力で被吊り下げ物の落下を防止するワンハンドクリップ。
【請求項２】
フックの形状を長手方向に延設した形状をしたことを対象とする請求項１に記載のワンハンドクリップ。
【発明の詳細な説明】
【技術分野】
【０００１】本発明は、洗濯物など被吊り下げ物を片手で差込み安定させるクリップに関するものである。【０００２】本体（１）の下部両端に、半円形状フック（２）の上部先端が調度合わさる位置で留まるように回転ピン（３）と補助バネ（４）で固定した半円形状フック（２）を取り付け、その中心間隙に下方から被吊り下げ物を挟み込み補助バネ（４）の作用によって装着した時、そこに装着物自体の重量が加わり補助バネ（４）との相互作用によって生じた圧力でより強く挟む力が発生する。【０００３】又、被吊り下げ物を本体から取り外すときは、被吊り下げ物を本体（１）上方に向けて軽く持ち上げるだけで指の力も手の力もいらず簡単容易に外せる。
【背景技術】
【０００４】従来洗濯物など干す場合、一般的には専用の洗濯バサミ又は、それに類する器具を使用しているのが通常であるが、両手を使わず片手だけで操作できる洗濯バサミは見当たらない。
【発明の開示】
【発明が解決しようとする課題】
【０００５】本発明は、洗濯物等被吊り下げ物を片手で簡単容易に装脱着しようとするものである。
【課題を解決するための手段】
【０００６】本体（１）の下部に回転用ピン（３）と補助バネ（４）によって取り付けられた半円形状フック（２）の上部先端が互いに合わさる中心間隙に、被吊り下げ物を下方より挟み込んだとき被吊り下げ物の重量と補助バネ（４）との相互作用によって生じる圧力を利用する。
【発明の効果】
【０００７】本発明は、特に福祉に寄与する為に開発したものである。従来洗濯物等を吊るすには指とバネ、簡易フック等で応用するのが一般的な構造であるが本発明はその概念を大きく変えたものである。従来の洗濯バサミ等と大きく違う点は、被吊り下げ物を装脱着する時に指の力を全く必要としない所にある。使い方は簡単容易で被吊り下げ物を片手指先に被せて本体（１）下部の半円形状フック（２）の中心間隙から上方に向けて差し込むだけで被吊り下げ物が安定装着できる。
【発明を実施するための最良の形態】
【０００８】被吊り下げ物を本体（１）下部の半円形状フック（２）の中心間隙から上方に向かって差し込み、手及び指を被吊り下げ物から離したとき、半円形状フック（２）の端部に取り付けた補助バネ（４）の作用で被吊り下げ物を挟んでいる半円形状フック（２）上部先端の両方に互いに挟む力が働く。
又このとき被吊り下げ物の重量が半円形状フック（２）の上部先端にかかり、半円形状フック（２）上部の両先端に下方への力が働く、そのため被吊り下げ物の重量に比例して挟む力が加算され被吊り下げ物が安定装着される。【０００９】又、被吊り下げ物を本体（１）から取り外すときは被吊り下げ物を手及び指先で半円形状フック（２）の上方に向けて持ち上げるだけで挟んでいる力が解除され簡単に取り外すことができる。上記フックについては半円形状フックとしているが記形状については様々なものが考えられ、例えば楕円形又は流線型のようなものもあり上記記載形に限定されるものではない。また拡張バネとして活用しているが、ゴムやその他の弾性体であってもよい。
【実施例１】
【００１０】以下添付図面に従って実施例を説明する。本体（１）は耐水性の樹脂等で形成され、物干し竿等に固定装着する為本体（１）最上部に回転するＣ字形のフック（５）が付いている。使用方法は、本体（１）下部両端に回転用ピン（３）と補助バネ（４）によって取り付けられている半円形状フック（２）の中心間隙に、被吊り下げ物を指先で摘むか或いは指先に乗せて下方から指又は腕を上方にあげて挟み込み手指を離す。
このとき被吊り下げ物は半円形状フック（２）下部の補助バネ（４）の作用と被吊り下げ物の重量によって生じた下方に働く力が半円形状フック（２）上部先端にかかり、より挟む力が増し、安定保持される。
次に本体から被吊り下げ物を取り外すときは、手或いは指先で被吊り下げ物を半円形状フック（２）より上方に持ち上げて外す。半円形状フック（２）上部先端は下から開く力に弱く簡単に取り外すことができる。
【実施例２】
【００１１】添付図面３の実施について説明する。本体（１）は耐水性樹脂等で形成され、物干し竿等に固定装着する為本体（１）最上部に回転するＣ字形のフックが付いている。
使用方法は実施例１に記述のように本体（１）の下部、長手フックの中心間隙に下方から布・反物など幅のある被挟み物を差込み、被挟み物の反対の端を引っ張って装着する。
【産業上の利用可能性】
【００１２】産業上の利用、又は使用頻度に関しては従来の物でもこと足りるのであるが本発明は特に福祉用に開発したものであり、片手で物が吊るせるという所に大きな特徴がある。バネ等で挟む指の力など一切不要であり簡単容易に操作できる。その点で今まで洗濯バサミが使用できなかった人達に多いに貢献できる可能性がある。
又、本出願の請求項２では布、又は反物など幅のある物を干したり吊るすことができ広く汎用される可能性がある。
【図面の簡単な説明】
【００１３】
【図１】本発明の斜視図である。
【図２】本発明の一部切欠断面図である。
【図３】本発明の請求項２の斜視図である。
【符号の説明】
【００１４】１．本体
２．被吊り下げ物脱着用フック
３．回転用ピン
４．補助バネ
５．固定用フック
【図１】
2005052611.tif 000003
【図２】
2005052611.tif 000004
【図３】
2005052611.tif 000005
(57)【要約】【課題】  下層硬質、上層軟質から成るスポンジ製枕本体の前後端にあって、その横方向中央下部、後頭下部が直接当たる部分に一本の凹条溝を形成し、硬質部上部に接し、後頭下部マッサージ用の棒状体を上端が枕本体の上面から突出する形で嵌合し、かつ全体を開放可能な表皮布が覆う、後頭部のツボマッサージ、整体効果を目的としたものである。【解決手段】  その目的を達成する為、本発明に係る枕は下層硬質、上層軟質からなるスポンジ製枕本体の前後端にあって、その横方向中央下部、後頭部位が直接当たる部分に一本の凹条溝を形成し硬質上部に接し、後頭下部マッサージ用棒状体を上端が枕本体の上面より突出する様に嵌合し、かつ、全体を開放可能な表皮布で覆う形にした。【選択図】  図１
2005052619.tif 000002
【特許請求の範囲】
【請求項１】
下層硬質、上層軟質の２層からなるスポンジ製の枕本体の前後端にあって、その横方向、中央下部、後頭が直接当たる部分に一本の凹状溝を形成し、後頭下位マッサージ用棒を上端が枕本体の上面より突出する形で嵌合し、かつ全体を開放可能な表皮布で覆うことを特徴とする枕。
【請求項２】
枕本体の凹条溝に嵌合される棒状体が棒状の袋内にビーズ等の粒状物が充填されることで、形成される事を特徴とする請求項１に記載の枕。
【請求項３】
棒状体の長さを枕本体の横幅と同等もしくはこれに近い寸法とすることを特徴とする請求項１に記載の枕。
【請求項４】
枕本体下層部を形成する硬質部について、請求項２の接触部を同全体の上端から突出する形で形成する事を特徴とする請求項１に記載の枕。
【発明の詳細な説明】
【技術分野】
【０００１】  東洋医学における医療行為
【背景技術】
【０００２】
【特許文献１】実開平０１−３２６７７号公報
【特許文献２】実開昭６３−１５０５６３号公報
【発明の開示】
【発明が解決しようとする課題】
【０００３】  従来、枕としては織物の表皮内部に、そばがら、アズキ等を入れたもの全体をスポンジで枕形に形成し、これを枕カバーで包んだもの等が知られている。この他、磁石を内蔵した磁気枕、本案に近いものとしては粒状のものを枕に充填したもの、円筒形の固形物を内在したものが見られるが、これらには刺激が分散吸収される。頭部との接触が線状でしかも安定しない事等から後頭部の所謂ツボと称される部位への刺激をし、血行を盛んにする治療、即ち有効なマッサージ効果が得られなかった。
本案は、前記課題に鑑みなされたもので、就寝中に東洋医学でいう後頭部の天柱・風池部位への効果的なマッサージ、その形態の安定性により、頸骨、顎部を正常な位置に戻す等による整体効果も期待出来る枕を提供することを目的とする。
【課題を解決するための手段】
【０００４】  下層硬質、上層軟質からなるスポンジ製枕本体の前後端にあって、その横方向中央下部、後頭が密着する部分に一本の凹条溝を形成し硬質上部に直接する形で後頭下部マッサージ用棒を上端が枕本体の上面より突出する様に嵌合し、かつ全体を表皮布で覆うことを特徴とする。
【発明の効果】
【０００５】  本案は、以上のとおり構成されるものであるから、寝ている間に自然のうちに後頭部の有効なツボをマッサージし頸骨、顎部を正常な位置に戻す等による整体効果も合わせ、健康増進と快適な睡眠を得られる。
【発明を実施するための最良の形態】
【０００６】  枕本体の長さを５０ｃｍ、巾３０ｃｍ、高さ１０ｃｍ棒状の突出物の上端まで１２ｃｍ。枕上層の軟質スポンジにあっては、キメの細かい滑らかなものとし、棒状体のマッサージ効果への干渉を最小限におさえるものとし、下層硬質部にあっては、枕全体の頭部移動による変形を最小限に押え、沈み込みも最小限に押える硬度をもつものとする。又、マッサージ用の棒用体の充填物にあっては、ビーズは硬質のもの、石等の素材にあっては外的温度の影響を受け難いものとし、鋭角な突起や球形は僻ける。
【実施例１】
【０００７】  通常の枕に習って使用するが後頭部を枕につけた時点で、マッサージ用の棒状体を意識し、ツボの位置に合わせる様に身体の位置を調整する。
【産業上の利用可能性】
【０００８】  本発明は、寝ている間にマッサージ効果、整体効果が得られる枕に関する。
【図面の簡単な説明】
【０００９】
【図１】  枕本体構成側面図。
【図２】  枕本体使用状況側面図。
【図３】  枕本体使用状況正面図。
【符号の説明】
【００１０】Ａ  枕本体軟質スポンジ部を示す。
Ｂ  枕本体硬質スポンジ部を示す。
Ｂ’枕本体硬質スポンジ部の突出部を示す。
Ｃ  枕本体を覆う表皮布部を示す。
Ｄ  枕本体凹条溝に嵌合された後頭部マッサージ用棒状体を示す。
Ｓ  枕本体側面の中央位置を示す。
Ｋ  人体肩方向を示す。
【図１】
2005052619.tif 000003
【図２】
2005052619.tif 000004
【図３】
2005052619.tif 000005
(57)【要約】      （修正有）【課題】従来は柑橘類の皮と果肉部を分離させたり、固形化したバターなどを深く掘り起したりする時、特殊な用途にしか使用し難いスプーンが必要になるが、本発明は従来のスプーンの皿部の形状で特殊な用途にも適応できるようにしたスプーンを提供する。【解決手段】本発明は、皿部の形状が従来のスプーンと同様で皿部１の先端端縁部３から側部端縁部４の断面形状がくさび形３ａをしたスプーンで特殊な用途や通常の使用にも使うことができるため、従来のように使い分ける必要がなくなる。【選択図】図１
2005052618.tif 000002
【特許請求の範囲】
【請求項１】
皿部の形状が従来のスプーンと同様で皿部１の先端端縁部３から側部端縁部４の断面形状がくさび形３ａであり、皿部１の底部先端部の一部が凹欠状５になったスプーン
【発明の詳細な説明】
【発明の詳細な説明】
【技術分野】
【０００１】  本発明は皿部１の形状が従来のスプーンと変わらず、しかし、柑橘類の皮と果肉部を容易に分離させたり、バターなどが固形化した時深く掘り起せたりできる皿部１の先端端縁部から側部端縁部の断面形状がくさび形３ａをしたスプーンに関するものである。
【背景技術】
【０００２】  従来のスプーンの皿部の形状では液体や、柔らかい固形物には支障なく容易に使えるが、柑橘類の皮と果肉部を分離させたり、固形化したバターなどを深く掘り起したりするには適していない。その時は皿部の先端が極端に尖形の物や、皿部が扁平の物、また、先端から側部の端縁部が鋸のようにギザギザの物等、特殊な用途にしか使用し難いものが必要になる。
【発明の開示】
【発明が解決しようとする課題】
【０００３】  特殊な用途にしか使用し難いスプーンではなく、皿部１の形状が従来のスプーンと同様で皿部１の先端端縁部３から側部端縁部４の断面形状がくさび形３ａをしたスプーンであれば特殊な用途や通常の使用にも使うことができるため、使い分ける必要がなくなる。
【課題を解決するための手段】
【０００４】  本発明は、皿部１の形状が従来のスプーンと変わらず、しかし、柑橘類の皮と果肉部を容易に分離させたり、バターなどが固形化した時深く掘り起せたりできる皿部１の先端端縁部３から側部端縁部４の断面形状がくさび形３ａをしたスプーンで、特殊な用途にしか使用し難いスプーンを別に使う必要もなく一個のスプーンで使い分けができるものである。
【発明の効果】
【０００５】  本発明を使用すれば、特殊な用途にしか使用し難いスプーンを別に使う必要もなく一個のスプーンで使い分けができるので経済的であり、煩わしさも解消される。
【発明を実施するための最良の形態】
【０００６】  下記は、本発明の実施の形態を説明するものである。
（１）皿部１の形状が従来のスプーンと同様で皿部１の先端端縁部３から側部端縁部４の断面形状がくさび形３ａをしたスプーン
（２）皿部１の底部先端部の一部が凹欠状５になったスプーン
本発明は以上の構成よりなる。
本発明を使用する場合は、液体や柔らかい固形物には従来と同様に使え、また、柑橘類の皮と果肉部を分離させたり、固形化したバターなどを深く掘り起したりする時はスプーンの先端部分３をやや縦立させ中へ押し込んでやればよい。これはスプーンの皿部先端端縁部３から側部端縁部４の断面形状がくさび形３ａで皿部１の底部先端部の一部が凹欠状５になっているため、押し込んだ時、素材がスプーンの先端端縁部３から側部端縁部４にかけて膠着する部分が減少するので分離や掘り起しが可能になる。
【図面の簡単な説明】
【０００７】
【図１】  本発明の上部平面図
【図２】  本発明の底部平面図
【図３】  本発明の断面図
【符号の説明】
【０００８】１皿部、２柄、３先端端縁部、３ａ断面形状がくさび形の部分、４側部端縁部、５皿部１の底部先端部の一部が凹欠状の部分、
【図１】
2005052618.tif 000003
【図２】
2005052618.tif 000004
【図３】
2005052618.tif 000005
(57)【要約】【課題】ベッド上での布団干しができるようにすること。【解決手段】ベッド本体を形成するヘッドボード、フットボード及び側板の各内側に、支持部材を周設し、外側板に固設した支持部材の中央部には補強桟を横架するとともに、支持部材の中央部の左右対称的にＶ字溝を設け、この支持部材上に載置する上方に折曲可能なように中央部をヒンジで連接したすのこ状床板を載置する。【選択図】        図４
2005052616.tif 000002
【特許請求の範囲】
【請求項１】
ベッド本体を形成するヘッドボード、フットボード及び側板の各内側に、支持部材を周設し、外側板に固設した支持部材の中央部には補強桟を横架するとともに、支持部材の中央部の左右対称的にＶ字溝を設け、この支持部材上に載置する上方に折曲可能なように中央部をヒンジで連接したすのこ状床板を載置してなるすのこベッド
【請求項２】
すのこ状床板の中央部近傍には握り孔を設けている請求項１記載のすのこベッド
【発明の詳細な説明】
【技術分野】
【０００１】  本発明は、すのこ床板を有するベッドに関するものである。
【背景技術】
【０００２】  従来のこの種ベッドは、主としてベッドに敷いた布団等が湿気をおびにくいようにすることを目的としたものである。そのためにすのこ部材の補強についての先行技術はあるが（特許文献１参照）、すのこ部材引き起こし布団干しとして利用できるものはない。また、布団を載置するベッドの枠体を引き起すことができるようにしたものはあるが、布団干し等を目的としたものではない（特許文献２参照）。【０００３】
【特許文献１】実開昭６０−８６１６４号公報
【特許文献２】待許第２９８０５９２号公報
【特許の開示】
【発明が解決しようとする課題】
【０００４】  すのこベッドは、通気性がよく気持ちよく安眠できるので多く利用されているが、ベッドに敷いている布団やマットレスについては、時々その湿気を除くため日干し等をする必要がある。しかし、それらをベッドから外し、日干しする場所にまで布団等を運ぶ必要があり、主婦等には重労働であった。
【０００５】  本発明は、このような問題点の解決を図るべく、簡単にすのこ床板を逆Ｖ字状に起ち上げることができるようにし、ベッド上で布団干しが可能としたものである。
【課題を解決するための手段】
【０００６】  このような問題点を解決するため、本発明は、ベッド本体２を形成するヘッドボード２１、フットボード２２及び側板２３の各内側に、支持部材２５を周設し、側板２３に固設した支持部材２５の中央部には補強桟２４を横架するとともに、支持部材２５の中央部の左右対称的にＶ字溝２７を設け、この支持部材２５上に載置する上方に折曲可能なように中央部をヒンジ１１で連接したすのこ状床板１を載置してなるものである。
【０００７】  すのこ状床板１の中央部近傍には握り孔２６を設けている。
【発明の効果】
【０００８】  このような構成より、本願発明では布団やマットレスを干す場合には、ベッド上からそれらをヘッドボード２１又はフットボード２２側に寄せ、それらを取除いた側のすのこ床板１の中央部近傍に設けた握り孔２６を手で握り、床板を引き上げるようにする。
【０００９】  そして、ある程度床板１を引き上げると、支持部材２５上を摺動していた床板１の前後桟１６、１７が支持部材２５に設けたＶ字溝２７に引っ掛かり止まり、すのこ床板１は逆Ｖ字状に起ち上がる。
【００１０】  すのこ床板１の前後桟１６、１７が支持部材２５のＶ字溝２７に引っ掛かるのですのこ床板１の頂部に布団等を掛けても安定感があり、しかも布団等を持ち運ぶ必要がないので簡単に布団干しができる。
【００１１】  また、このように床板を上げることができるので、ベッドを動かさずに、ベッド下の掃除もし易くなる。
【発明を実施するための最良の形態】
【実施例１】
【００１２】  実施例について図面を参照して説明すると、図１において、本発明で使用するすのこ床板１であって、中央部で逆Ｖ字状に折曲可能なようにヒンジ１１にて枢結している。【００１３】  すのこ床板１は、縦方向に並設し、下面の周縁に縁部材１３を配設するとともに、すのこ板１２に直交するように補強材１４を任意数本配設固定している。【００１４】  図２は、本発明で使用するベッド本体２であって、脚を兼ねたヘッドボード２１と脚を兼ねたフットボード２２とを側板２３で連結している。【００１５】  側板２３の中央部には、すのこ床板１の中央部桟部材１５を載置する補強桟２４を架設している。【００１６】  側板２３の内側には、すのこ床板１の縁部材１３を載置する支持部材２５を固着している。
【実施例２】
【００１７】  すのこ床板１の中央部近傍には、手で握り床板１を引起す握り孔２６を設けている。
【図面の簡単な説明】
【００１８】
【図１】本発明のすのこ床板の平面図である。
【図２】本発明のベッド本体の平面図である。
【図３】本発明のすのこ床板の起立状態を示す側面図である。
【図４】本発明のすのこ床板の起立状態を示す斜視図である。
【符号の説明】
【００１９】１  すのこ床板
２  ベッド本体
１１  ヒンジ
１２  すのこ板
１３  縁部材
１４  補強材
１５  中央部桟部材
１６  前桟
１７  後桟
２１  ヘッドボード
２２  フットボード
２３  側板
２４  補強桟
２５  支持部材
２６  握り孔
２７  Ｖ字溝
【図１】
2005052616.tif 000003
【図２】
2005052616.tif 000004
【図３】
2005052616.tif 000005
【図４】
2005052616.tif 000006
(57)【要約】【目的】洗濯乾燥機の脱水工程において脱水洗濯槽の中を真空に近い状態にして脱水洗濯槽を高速回転することにより、洗濯物などの脱水を行うに当たり、空気圧と風圧の無い状態で効率よく仕上がり状態の良い脱水を行おうと言うものである。【構成】減圧槽６とその中に脱水洗濯槽３を持った洗濯乾燥機１において、減圧槽６を高速回転させると脱水洗濯槽３に空けられた穴４と減圧槽６に空けられた穴７を通して空気が減圧槽６の外へ押し出され減圧槽６及び脱水洗濯槽３の中が真空に近い状態になる。次に脱水洗濯槽３を高速回転させて脱水洗濯槽３の中に入れられた繊維などを脱水する。【選択図】図１
2005052613.tif 000002
【特許請求の範囲】
【請求項１】
減圧槽と脱水洗濯槽の二つのドラムを持った洗濯乾燥機の脱水工程において、高速回転時に空気が流入しないように蓋をした減圧槽と減圧槽の中の脱水洗濯槽の両方を高速回転させて脱水洗濯槽の中に入っている衣服などの脱水を行うことを特徴とした洗濯乾燥機。
【請求項２】
洗濯乾燥機の脱水洗濯槽のみを高速回転させての脱水を行う脱水工程において、高速回転時に空気が流入しないように蓋をした脱水洗濯槽を高速回転させて衣服などの脱水を行うことを特徴とした洗濯乾燥機。
【発明の詳細な説明】
【技術分野】
【０００１】  本発明は、洗濯乾燥機の脱水時の脱水効率に関するものである。
【背景技術】
【０００２】  従来の洗濯乾燥機には脱水洗濯槽は１つしかなく、この脱水洗濯槽を高速回転させてその遠心力で衣服などに付いた水分をとばしている。この時脱水洗濯槽には空気が入らないように蓋がされていないので、脱水洗濯槽内には空気がどんどん流入して、脱水時に脱水洗濯槽内はほとんど減圧されていないし遠心力による高い風圧が発生している。【０００３】  密閉された円筒形の筒の壁面に穴を開けて、その穴に遠心力が掛かるようにこの筒を高速回転させるとこの筒の中が真空状態に近くなるということはよく知られている。
また、真空状態の中では衣服などに付いた水滴には気圧が掛からないので、衣服などから離れやすいということもよく知られている。【０００４】  減圧槽と脱水洗濯槽の２つのドラムを持った洗濯乾燥機に関しては、平成１５年７月２８日に（減圧槽を持った洗濯乾燥機）として特許申請されている。
【発明の開示】
【発明が解決しようとする課題】
【０００５】  衣服などに付いた水分を少しでも多く飛ばす為には、脱水洗濯槽を出来るだけ高速回転させ衣服などに強い遠心力を長時間掛ければ掛けるほど良い。しかし遠心力を強く長時間掛けるほど衣服などに強い遠心力と遠心力によって発生する強い風圧が長時間掛り、衣服などに強いしわをつけてしまい乾燥後の仕上がり状態を悪くしてしまうという問題がある。
当発明は、衣服などの仕上がり状態を良くするため、少しでも弱い遠心力と、風圧を発生させない構造で効率よく衣服などの脱水を行おうというものである。【０００６】  最近では、洗濯、脱水、乾燥を１台で行う洗濯乾燥機や、洗濯機のほかに乾燥機を利用する家庭が増えている。ここで問題になっているのが乾燥工程に長時間を必要とすることで、仕上がりのよさと併せて時間短縮が課題となっている。この問題を解決する為には乾燥工程の効率化と合わせて、強いしわを出来るだけ付けずに充分な脱水を行うことが必要である。またこの事は即、電気代やガス代の節約につながる。
【課題を解決するための手段】
【０００７】  減圧槽と脱水洗濯槽の二つのドラムを持った洗濯乾燥機の脱水工程において、壁面に穴を開け外気が入らないように蓋をした減圧槽の中に脱水洗濯槽を設置する。この減圧槽を高速回転させて減圧槽内及びその中に設置した脱水洗濯槽内を真空に近い状態にする。この真空に近い状態の中では脱水洗濯槽内に入れられた濡れた衣服や水滴などにはほとんど気圧が掛かっていないので、減圧槽内の脱水洗濯槽をそれほど高速回転させなくても衣服から水滴を引き離すことが出来て充分な脱水が行われることになる。特に複雑に絡み合った繊維の内部の脱水は難しかったが、上記の方式では繊維の内部も外部と同じように真空に近い状態になるので内部の脱水も充分に行うことが可能となる。またこの時、外気の流入を遮断しているので脱水洗濯槽内は真空に近い状態になるので風圧はほとんど発生しない。このことにより、衣服などに強いしわを付けること無く充分な脱水をすることができて、乾燥時間の短縮と併せて乾燥後の仕上がり状態を良くすることができる。【０００８】  洗濯乾燥機の脱水洗濯槽のみを高速回転させての脱水を行う脱水工程においても、壁面に穴を開け外気が入らないように蓋をした脱水洗濯槽を高速回転させることにより脱水洗濯槽内を真空に近い状態にすることができる。すなわちこの真空に近い状態の中では脱水洗濯槽内に入れられた濡れた衣服などにはほとんど気圧が掛かっていなし風圧もほとんど無いので、脱水時間を短くしても充分な脱水が可能となる。この事により衣服などに強いしわを付けること無く脱水をすることができて、乾燥時間の短縮と併せて乾燥後の仕上がり状態を良くすることができる。
【実施例１】
【０００９】  図１は、減圧槽と脱水洗濯槽の二つのドラムを持った洗濯乾燥機の断面図を示しており、蓋をした減圧槽を高速回転させて減圧槽内と脱水洗濯槽内を真空に近い状態にしておいてから、脱水洗濯槽を高速回転させて脱水洗濯槽の中の濡れた衣服などの脱水を行うものである。
【産業上の利用可能性】
【００１０】  本発明を市販されている洗濯機や洗濯乾燥機に取り付けることにより、脱水から乾燥までの時間の短縮と仕上がりの向上を図ることが出来る。
【図面の簡単な説明】
【００１１】
【図１】減圧槽と脱水洗濯槽の二つのドラムを持った洗濯乾燥機の断面図を示したものである。
【図２】一つの脱水洗濯槽を持った洗濯乾燥機の断面図を示したものである。
【図３】減圧槽と脱水洗濯槽の２つのドラムを持った洗濯乾燥機の減圧槽と脱水洗濯槽の二つのドラムの位置関係と空気の流れを表している。
【符号の説明】
１    洗濯乾燥機
２    脱水洗濯槽の蓋
３    脱水洗濯槽
４    脱水洗濯槽に空けられた穴
５    減圧槽の蓋
６    減圧槽
７    減圧槽に空けられた穴
８    換気用ノズル
９    温風吹き込みノズル
１０  遠心力によって減圧槽に空けられた穴から外側に流れ出る空気の流れ
１１  脱水洗濯槽に空けられた穴から減圧槽側に流れ出る空気の流れ
１２  減圧槽の回転を表す
１３  脱水洗濯槽の回転を表す
【図１】
2005052613.tif 000003
【図２】
2005052613.tif 000004
【図３】
2005052613.tif 000005
(57)【要約】【課題】男女問わず自動車内でも容易に排尿ができ尿漏れや悪臭のしない安価で使い勝手のよい携帯小便トイレを提供す。【解決手段】飛散防止曲り部（５）飛散防止凸部（７）を設けた男性用受口（１）、飛散防止密着部（６）飛散防止凸部（７）を設けた女性用受口（２）、回転自在接続部（８）容器接続部（９）を両端にも設けたホース（３）、エアー抜き（１０）取手（１１）を設けた尿溜容器（４）からなる携帯用小便トイレ【選択図】図１2005052608.tif 000003
2005052608.tif 000002
【特許請求の範囲】
【請求項１】
飛散防止曲り部（５）飛散防止凸部（７）を設けた男性用受口（１）、飛散防止密着部（６）飛散防止凸部（７）を設けた女性用受口（２）、回転自在接続部（８）容器接続部（９）を両端に設けたホース（３）、エアー抜き（１０）取手（１１）を設けた尿溜容器（４）からなる携帯用小便トイレ
【発明の詳細な説明】
【発明の詳細な説明】
【技術分野】
【０００１】本発明は、男性でも女性でも自動車内等で容易に排尿ができる、尿漏れしない安価で使い勝手のよい携帯小便トイレである。
【背景技術】
【０００２】従来、携帯できて自動車内で使用できる簡易トイレは、おむつ式や袋式等に吸収凝固剤を使用して尿を凝固するもの、車の座席等に凹状の排尿受け皿を置く方式のもの等種々あるがこれらは排尿がしにくい、用後の排尿処理がしにくい等の欠点があった。また、尿受口と吸引ポンプ及び尿蒸発装置をホースで繋いだ構造からなる簡易トイレがあるが、この方式は排尿がしにくいという欠点は解決されているが、高価で持ち運びが不便であり実用的ではなかった。安価で使い易く排尿処理の簡単な携帯用トイレが要望されていた。本発明はこれらの要望を一気に解決したものである。
【発明が解決しようとする課題】
【０００３】この発明は従来、発明考案されている糞と尿共に使える簡易トイレではなく短時間周期で用便したくなる、排尿のみを対象にした発明品である。
イ．自動車内でも排尿がしやすいように受口を設けた。
ロ．受口は陰部に密着でき飛散防止や溢れ防止形状とした。
ハ．受口は男性用と女性用の２種類とし交換して使用しすることにした。
ニ．排尿留め容器を設け、これにはエアー抜きを設けて排尿がス厶ースに容器内に流れ込むようにした。
ホ．排尿容器は、キャップ付、取手付きとし持ち運び易くした。
ヘ．受口と尿留容器はホースで継ぎ、受け口の継ぎ部は回転自在とし受口が陰部に密着できるようにした。
【課題を解決するための手段】
【０００４】男性の場合は飛散防止曲り部（５）飛散防止凸部（７）を設けた男性用受口（１）を使用し、女性の場合は飛散防止密着部（６）飛散防止凸部（７）を設けた女性用受口（２）を使用する。これらの受口と尿溜容器（４）は受口端には回転自在接続部（８）尿溜容器端には容器接続部（９）を設けたホース（３）で連結する。男性用も女性用も受口は回転自在接続部（８）のために、角度が自由に変えることができ、更に女性用受口（２）の場合は陰部に密着し易く排尿が容易で溢れもない。排尿はホース（３）を通りエアー抜き（１０）取手（１１）を設けた尿溜容器（４）に溜まるがエアー抜（１０）のため尿が泡立つことがなくスムースに流れる。
尿溜容器（４）は容器接続部（９）でホース（３）を取り外し容器キャップ（１２）で蓋をして持運ぶが、取手（１１）があり持ち運び易い。
本発明は以上の構成よりなる携帯小便トイレである。
【発明の実施形態】
【０００５】本発明を使用するときはネジ式エアー抜き（１０）のネジを弛めてエアー抜きができる状態とした尿溜容器（４）を足元に置き座ったままかあるいは中腰で男性の場合は男性用受口（１）を陰部に当て、この受口内に排尿する。女性の場合は男性用受口（１）を女性用受口（２）と取替えて使用するが女性用受口（２）の飛散防止密着部（６）を陰部に密着させて受口内に排尿する。
排尿は飛散防止曲り部（５）又は飛散防止密着部（６）飛散防止凸部（７）の作用で飛散することなく、又エアー抜き（１０）の作用でホース（３）内をスムースに通って尿溜容器（４）に溜まる。排尿が終わったら容器接続部（９）を取り外し容器キャップ（１２）で蓋をしてエアー抜き（１０）のネジを締めて悪臭発生防止ができる。尿溜容器（４）の尿は便所に廃棄するが取手が付いているため運搬しやすい。
【実施例】
【０００６】イ．男性の場合は飛散防止曲り部（５）飛散防止凸部（７）を設けた、円球で中が空洞、尿の受け口として円球に円形の開口部を設けてなるなる男性用受口（１）を使用し受口内に排尿するが、飛散防止曲り部（５）は折り返し長さを１センチメートル程度にし飛散防止凸部（７）の形状は縦に５センチメートル高さ１センチメートル程度の山脈形とする。
ロ．女性の場合は飛散防止密着部（６）飛散防止凸部（７）を設けた楕円球で中が空洞、尿の受け口として楕円球に楕円形の開口部を設けてなる女性用受口（２）を男性用受口（１）と取り替えて受口内に排尿するが飛散防止密着部（６）は密着性をもたせるため軟らかな材質のものを使用する。この折り返しの長さは男性用と異なり１．５センチメートル程度とする。
飛散防止凸部（７）は男性用受口（１）と同じ形状とする。
ハ、受け口（１）及び（２）の材質は硬質プラスチックとする。
ニ．排尿は受け口から回転自在接続部（８）と容器接続部（９）を両端に備えたホース（３）を通って、エアー抜き（１０）取手（１１）を設けた尿溜容器（４）に溜まる。受口側に接続する回転自在接続部（８）はパッキンが入ったネジ式でホース（３）を接続するが、ホースは回転しないが、受け口は自由に角度が変えることができるため、排尿がし易く特に女性の場合は飛散防止密着部（６）が陰部に完全に密着できる。
ホ．容器接続部（９）は、尿が漏れないパッキン付きでネジで接続する方式である。
ヘ．ホース（３）は柔軟性のあるゴム管又はジャバラ形のビニルホースを使用する。長さは５０センチメートル程度とする。
ト．尿溜容器（４）にはネジを弛めると開放し締めると閉塞できるエアー抜き（１０）を設け、容器の高さは２０センチメートル程度とする。又、持ち運びに便利な取手（１１）を設ける。
容器の材質は硬質のポリエチレン製とする。
チ．尿溜容器（４）の蓋として容器キャップも備えておく。
本発明は以上の構成よりなっている。
必要に応じて
ホース（３）はジョイントを設けて延長できる構成にしてもよい。
尿溜容器（４）は内部の量が見えればよく、材質は問わない。
容器接続部（９）は取り外し取り付けの容易なワンタッチ方式であれば尚よい。
【発明の効果】
【０００７】    本発明を使用することによって
イ．自動車内でも介護用車椅子やベットでも排尿がしやすく便利である。
ロ．尿の飛散や溢れることがなく安心して使用できる。
ハ．尿専用のため構造が簡単で安価である。
ニ．持ち運びが便利で悪臭の発散がない。
【図面の簡単な説明】
【図１】  本発明の斜視図
【図２】  本発明の部品の断面斜視図
【符号の説明】
１．男性用受口
２．女性用受口
３．ホース
４．尿溜容器
５．飛散防止曲り部
６．飛散防止密着部
７．飛散防止凸部
８．回転自在接続部
９．容器接続部
１０．エアー抜き
１１．取手
１２．容器キャップ
【図１】
2005052608.tif 000004
【図２】
2005052608.tif 000005
(57)【要約】【課題】  安全に心地よく使用でき、様々な物を作ることができ、作った物の全体と局所の柔らかさと形状が調節でき、容易に収納し、携帯にも便利である流体型ソフトブロックを提供する。【解決手段】  ブロックの皮が軟らかい材料から作られ、中に流体を充填するため、ブロックが安全に心地よく使用できる。形状や色柄に種々作られ、ブロックの表面に他のブロックとお互いに自由に連結・解き放し可能な連結具を付けるため、ブロックから様々な物を作ることができる。流体を充填するための注入口を付けて、注入した流体の量がコントロールできるため、ブロックから作った物の全体と局所の柔らかさと形状が調節できる。中身の流体を注入口から全部出したら、ブロックの体積が小さくなって、容易に収納し、携帯にも便利な形になる。【選択図】  図１
2005052607.tif 000002
【特許請求の範囲】
【請求項１】
形状や色柄に種々作られ、皮が軟らかい材料（例えばゴムや樹脂などのような材料）から作られ、中に流体を充填することにより、安全に心地よく使用できるようにした流体型ソフトブロック。
【請求項２】
ブロックの表面に、他のブロックとお互いに自由に連結・解き放し可能な連結具を付けることによって、様々な物を作ることができるようにしたことを特徴とする請求項１記載の流体型ソフトブロック。
【請求項３】
流体を充填するための注入口を付けて、注入した流体の量をコントロールすることによって、ブロックの柔らかさが調節できるようにしたこと、ブロックが凹んで形状も変えることができるようにしたこと、また注入口から中身の流体を全部出すことができることによって、ブロックの体積が非常に小さくすることができるようにしたことを特徴とする請求項１または請求項２記載の流体型ソフトブロック。
【発明の詳細な説明】
【発明の詳細な説明】
【技術分野】
【０００１】  この発明は、人間との関わりの装置に関し、特に人間に優しい、人間の個人特性に対応する装置を開発する技術に関するものである。
【背景技術】
【０００２】  従来、プラスチックやクッションなどの材料で作られたブロックがある（例えば、特許文献１と文献２参照。）。軟らかい材料で皮を作り、流体を中身として、流体を充填するための注入口も付ける流体型ソフトブロックは無かった。
【特許文献１】特開平０８−２２８８１０号公報
【特許文献２】特開平０７−０２４９４５号公報
【発明の開示】
【発明が解決しようとする課題】
【０００３】  従来、プラスチックやクッションなどの材料で作られたブロックを用いて物を作る時に、ブロックの柔らかさと形状は調節できないため、作った物の全体と局所の柔らかさが調節できず、収納が困難で、携帯にも不便で、しかも使用者の個人特性に簡単に対応できない。
【課題を解決するための手段】
【０００４】  ブロックの皮が軟らかい材料から作られ、中に流体を充填するため、安全に心地よく使用できるようにした。また、ブロックが形状や色柄に種々作られ、ブロックの表面に他のブロックとお互いに自由に連結・解き放し可能な連結具を付けるため、流体型ソフトブロックから様々な物を作ることができるようにした。
流体を充填するための注入口を付けるため、注入した流体の量をコントロールすることによって、ブロックの柔らかさが調節でき、ブロックが凹んで形状も変えることができるようにした。このようにすれば、流体型ソフトブロックから作った物は、全体と局所の柔らかさが全て調節でき、その形状もブロックを交換する必要なく簡単に変えることができるようにした。
注入口から中身の流体を全部出したら、ブロックの体積が小さくなって、容易に収納し、携帯にも便利な形になるようにした。
【発明の効果】
【０００５】  流体型ソフトブロックは、軟らかい材料から皮を作り、流体を中身とするものであるため、普通の人勿論子供でも高齢者でも安全に心地よく使用できるものになる。また、ブロックが形状や色柄に種々作られ、ブロックの表面に、他のブロックとお互いに自由に連結・解き放し可能な連結具を付けるため、日常生活用品、子供の知育玩具、高齢者の用品など、様々な物を作ることができる。
注入した流体の量がコントロールすることができるため、プラスチックやクッションなどの材料で作られた従来のブロックと比べて、流体型ソフトブロックは柔らかさが調節でき、形状が変えることができる特徴を持っている。このようにすれば、流体型ソフトブロックから作った物は、全体と局所の柔らかさが全て調節でき、その形状もブロックを交換する必要なく簡単に変えることができ、しかも容易に収納でき、携帯にも便利である特徴を持っている。
また、流体型ソフトブロックから作った物を枕や座布団やマッサージ器具などのような物として使用する時に、使用者の個人特性に対応できる。例えば、枕として使用する時に、頭が真ん中に当たる部分は軟らかく凹んで、首が回りにあたる部分は少々硬いように希望する使用者、枕に凹みは無く、全体が柔らかいように希望する使用者、枕に凹みは無く、全体が硬いように希望する使用者など、個人個人の要求が違い、また同じ人でも場合によって枕に対する要求が変わる時もある。流体型ソフトブロックから作った枕は、使用者が各ブロックに注入した流体の量をコントロールすることによって、自分の要求に簡単に合わせることができる。
【実施例】
【０００６】    以下、本発明を添付図面に示す実施例に基づいて説明する。図１は各種類の形状をしている流体型ブロックを示す図である。図１に示すように、他のブロックとの連結具付き、注入口付きの流体型ソフトブロックが種々な形状に作られる。図２は流体の量により形状と柔らかさをコントロールする様子の例を示す図である。図２に示すように、注入口から流体を少し出すと、ブロックが軟らかくなり、多く出すと、凹んで形が変えられ、全部出したら、非常に小さい体積の形になっている。図３は流体型ソフトブロックを用いて日常用品における枕や座布団、知育玩具など様々な物を作る例を示す図である。
【図面の簡単な説明】
【０００７】
【図１】  各種類の形状をしている流体型ブロックを示す図である。
【図２】  流体の量により形状と柔らかさをコントロールする様子の例を示す図である。
【図３】  流体型ブロックの応用例を示す図である。
【符号の説明】
１  本体
２  注入口
３  連結具
2005052607.tif 000003
2005052607.tif 000004
2005052607.tif 000005
【手続補正書】
【提出日】平成16年2月19日(2004.2.19)
【手続補正２】
【補正対象書類名】図面
【補正対象項目名】全図
【補正方法】変更
【補正の内容】
【図１】
2005052607.tif 000006
【図２】
2005052607.tif 000007
【図３】
2005052607.tif 000008
(57)【要約】      （修正有）【課題】配合セラミック｛ＲＳＲ（遠赤外線用のマイナスイオン発生材）、ペー竹炭、及び、パラファインＭ−１（マイナスイオン発生材）｝と、二酸化ゲルマニウムを適量に混ぜ合わせ、アクリル系樹脂バインダー（粘着材）とともに、綿に吹きつけ加工した、全身の疲労回復用の寝具及び、健康マットの中詰め綿として使用する綿を提供する。【解決手段】原綿をカード機により解きほぐし、オートフィダーにより、数枚を重ね合せ、さらにローラーにより、厚みの調整を行った綿に、配合セラミック及び二酸化ゲルマニウムを適量に混ぜ合わせた溶液に、粘着材であるアクリル系バインダーを混入し、再度、よく混ぜ合わせた溶液を、高圧スプレーでまず、Ａ面に噴射付着し、続いて、乾燥機に入る前に、再び、Ｂ面にも高圧スプレーで噴射付着し、Ａ、Ｂ両面に付着した綿を乾燥機内温度、１５０℃＋−５℃で約８分間乾燥する。【選択図】  なし【特許請求の範囲】
【請求項１】
配合セラミック｛ＲＳＲ（遠赤外線用のマイナスイオン発生材）や遠赤外線の発生を強化させるための、ペースト状にした竹炭、及び、パラファインＭ−１（マイナスイオン発生材）｝溶剤に、二酸化ゲルマニウムを適量混ぜ合わせ、アクリル系樹脂バインダー（粘着材）とともに、高圧スプレーによって、綿に吹きつけ加工した、ゲルマニウム混入健康綿。
【請求項２】
配合セラミック｛ＲＳＲ（遠赤外線用のマイナスイオン発生材）や遠赤外線の発生を強化させるための、ペースト状にした竹炭、及び、パラファインＭ−１（マイナスイオン発生材）｝溶剤に、二酸化ゲルマニウム及びアクリル系樹脂バインダー（粘着材）を適量混ぜ合わせた溶剤の中に、オートフィダーにより数枚を重ね合せ、さらにローラーにより、厚みの調整をした製綿を潜らせ、乾燥させ、加工した、ゲルマニウム混入健康綿。
【発明の詳細な説明】
【発明の詳細な説明】
【技術分野】
【０００１】  この発明は、配合セラミック｛ＲＳＲ（遠赤外線用のマイナスイオン発生材）や遠赤外線の発生を強化させるために、ペースト状にした竹炭、及び、パラファインＭ−１（マイナスイオン発生材）｝の溶剤に、二酸化ゲルマニウムを適量に混ぜ合わせ、アクリル系樹脂バインダー（粘着材）とともに、高圧スプレーによって、綿に吹きつけ加工する、ゲルマニウム混入綿の製造方法に関するものである。【０００２】
【特許文献１】  特開平１１−２２９２１９号
【特許文献２】  特開平１１−３６１３２号
【背景技術】
【０００３】  従来より、配合セラミック｛ＲＳＲ（遠赤外線用のマイナスイオン発生材）や竹炭（竹炭をペースト状にし、遠赤外線の発生強化材として使用）、及びパラファインＭ−１（マイナスイオン発生材）｝をキルト（布地）に織り込み、打ち身、捻挫等の治療または、緩和するために使用する、サポーターは製造販売されていた。
【発明が解決しようとする課題】
【０００４】  従来のキルト（布地）に配合セラミックを織り込んだ製品は、洗濯や乾燥をすると、織り込まれた配合セラミックが洗い流されたり、飛散して、その効果が長く持続しなかった。
本発明は、以上の欠点を解決するために発明されたものである。
【課題を解決するための手段】
【０００５】本発明は、綿そのものに配合セラミック（ＲＳＲ、竹炭、パラファイン）と二酸化ゲルマニウムを適量混ぜ合わせ、アクリル系バインダー（粘着材）とともに、吹付け加工し、寝具（主に敷き布団又は敷きマット用）として加工し、全身の疲労回復用の寝具及び、健康マットの中詰め綿として使用するものである。
【発明を実施するための最良の形態】
【０００６】  以下、本発明の実施の形態を製造概略図説明する。
第１工程  カード機により、原綿を解きほぐす。
第２工程  オートフィダーにより数枚を重ね合せ、さらにローラーにより、厚みの調整を行う。
第３工程  配合セラミック及び二酸化ゲルマニウ厶を適量に混ぜ合わせた溶液に、粘着材であるアクリル系バインダーを混入し、再度、よく混ぜ合わせた溶液を、高圧スプレーでまず、Ａ面に噴射付着する。
第４工程  続いて、乾燥機に入る前に、再び、Ｂ面にも高圧スプレーで噴射付着する。
第５工程  Ａ、Ｂ両面に付着した綿を乾燥機に通し、乾燥する。
乾燥機内の温度は、１５０℃＋−５℃で約８分間が適当である。
上記実施例のほか、
【請求項２】
の場合は、次の工程による。
オートフィダーにより数枚を重ね合せ、さらにローラーにより、厚みの調整をした製綿を、配合セラミック｛ＲＳＲ（遠赤外線用のマイナスイオン発生材）や遠赤外線の発生を強化させるための、ペースト状にした竹炭、及び、パラファインＭ−１（マイナスイオン発生材）｝溶剤に、二酸化ゲルマニウム及びアクリル系樹脂バインダー（粘着材）を適量混ぜ合わせた溶剤の中に、浸し、引き上げて乾燥させる。
【発明の効果】
【０００７】  このようにして製造されたゲルマニウム混入健康綿を寝具の中詰め綿又は健康マットの中詰め材として使用することにより、保湿性及び健康増進性を有し、特に、マイナスイオン効果、放熱保温作用、脱臭効果等が得られる。
【図面の簡単な説明】
【０００９】
【図１】  カード機により、原綿を解きほぐす。
【図２】  オートフィダーによって、数枚を重ね合わせ、ローラによって、厚みの調整を行う。厚みの調整された綿のＡ面に溶液を噴霧付着させる。
【図３】  さらに、乾燥機に入る前に、再びＢ面に溶液を噴霧付着を行い、乾燥機に入る。乾燥機の内部温度は、摂氏１５０℃±５℃で、約８分〜９分程度、機内で乾燥し、最後に、折機で製綿に加工する。
【図１】
2005052610.tif 000002
【図２】
2005052610.tif 000003
【図３】
2005052610.tif 000004
(57)【要約】【課題】  石けん箱の幅を狭くしたため、狭い洗面台でも置きやすいので使用を便利にし、また、石けんの乾燥をはやくし、側壁に図柄などの施しを可能にした石けん箱の提供。【解決の手段】石けん（Ｃ）を横長に立てて入れるため、石けん箱（Ａ）の側壁（１）（２）との間を側壁（３）（４）を介して幅を狭くし、石けん箱の石けん受底（６）を半円状にして、石けんが石けん箱（Ａ）に接触する部分を少なくするため山型溝を２本設け、さらに乾燥をはやめるための通気穴（８）を複数設けたことを特徴とする石けん箱。【選択図】  図１
2005052604.tif 000002
【特許請求の範囲】
【請求項１】
石けん箱（Ａ）の側壁（１）（２）との間を側壁（３）（４）を介して幅を狭くし、石けん箱（Ａ）の石けん受底（６）を半円状にして、石けんが、石けん箱（Ａ）に接触する部分を少なくるため山型溝（７）を設け、さらに複数の通気穴（８）を設けた石けん箱。
【発明の詳細な説明】
【技術の分野】
【０００１】本発明は、石けんを横長に立てて入れる、石けん箱に関するものである。
【背景技術】
【０００２】従来、市販されている石けん箱は、石けんを寝かせて入れるのが主流である。
【発明の開示】
【発明が解決しようとする課題】
【０００３】そのため、次のような問題点があった。
（イ）石けんを寝かせて入れ、石けんの横長の幅に合せるため、石けん箱が大きく、狭い洗面台、風呂場などでの置き場所に困っていた。
（ロ）従来の石けん箱は底に凸凹や穴を空け、乾燥に工夫してあるが、石けんを寝かせるため、接触面積が大きくなり乾燥がおそい欠点があった。
（ハ）また、石けん箱の底の凸凹や穴で、石けんカスのヌルヌルが多く溜まる欠点があった。
（ニ）また、石けん箱の側壁が狭いため、側壁に図柄等を設けることができなかった。
本発明は、これらの問題点を解決するためになされたものである。
【課題を解決するための手段】
【０００４】石けん箱（Ａ）の側壁（１）（２）との間を側壁（３）（４）を介して幅を狭くし、石けん箱（Ａ）の石けん受底（６）を半円状にして、石けん（Ｃ）が石けん箱（Ａ）に接触する部分を少なくするための山型溝（７）を設け、さらに乾燥をはやくするための複数の通気穴（８）を設けた石けん箱である。
【発明の効果】
【０００５】  本発明を使用することによって、狭い洗面台でも置きやすいので使用が便利になる。通気穴（８）を複数設けているため、石けんの乾燥をはやくする。石けん箱の石けん受底（６）が半円状のために石けんは常に中央によってくるので、石けんが箱から取り出しやすい。側壁（１）（２）が石けんの長辺より高くしてあるために、「いやし」系などの図柄（Ｂ）を設けることができる。
【発明を実施するための最良の形態】
【０００６】以下本発明の実施について説明する。
（イ）側壁（１）（２）を横に立てた石けんの縦幅より高くし、高くなった側壁に花や動物等の任意の図柄を設ける。側壁（１）（２）との間を側壁（３）（４）を介して幅を狭くする。
（ロ）石けん箱（Ａ）の石けん受底（６）を半円状にして、複数の通気穴（８）を設け、中央に２本の山型溝（７）を設ける。
（ハ）石けん箱の底部の下に水滴の受皿（５）を設ける。
本発明は以上のような構成で、これを使用するときは、石けん（Ｃ）の横長部分を横にして石けん箱（Ａ）に入れる。石けん受底（６）が半円状になっているため石けんは側壁（３）（４）のどちらかに傾くので、上から石けんを取り出すとき、その傾いた空間に手が入りやすいので、すぐに取り出すことができる。従来は、寝かせた状態に入れているので、つかむ部分が狭幅なので石けんがつかみにくいのだが、本発明は石けんを横長に立てて入れるので、つかむ部分が広幅になるのでつかみやすい。側壁（１）側壁（２）が広いため、現在ブームの「いやし」系の花、動物などの図柄を施せば、さわやかな明るい雰囲気にもなる。
【図面の簡単な説明】
【０００７】
【図１】本発明の使用例を示す斜視図
【図２】本発明の一部を切り欠いたの斜視図
【図３】本発明の平面の部分断面図
【図４】本発明の部分断面拡大図
【図５】本発明の水滴の受皿の正面図
【図６】本発明に石けんを置いた状態の説明図
【符号の説明】
【０００８】  Ａは、石けん箱
Ｂは、図柄
Ｃは、石けん
１、２は、側壁
３、４は、側壁
５は、水滴の受皿
６は、石けん受底
７は、山型溝
８は、通気穴
【図１】
2005052604.tif 000003
【図２】
2005052604.tif 000004
【図３】
2005052604.tif 000005
【図４】
2005052604.tif 000006
【図５】
2005052604.tif 000007
【図６】
2005052604.tif 000008
(57)【要約】      （修正有）【課題】仰向寝は、両足または片足、横向寝では、片手、片足を乗せて使用する就寝するための枕を提供する。【解決手段】プラスチック又はウレタン等の軽くて足の運動に耐えられる素材を用い、且つ、通気性のある手軽なものから工作された本体と、肌触りが良く、吸汗、抗菌、摩擦に対する耐久力等があり、且つ、寝具としてのデザインを兼ね備えた袋カバーとした枕カバーで構成し、いつでも、どこでも足を上げて就寝することができるよう、適度の高さ、硬さ、クッション並びにファッションを備えた足専用の枕とする。【選択図】図１
2005052609.tif 000002
【特許請求の範囲】
【請求項１】
足に使用する寝具用の枕
【請求項２】
その本体
【請求項３】
枕カバー
【発明の詳細な説明】
【発明の詳細な説明】
【技術分野】
【０００１】この発明は、寝具用の足を乗せる枕に関するものである。
【背景技術】
【０００２】  従来、抱き枕等は存在したが、足用の枕は未だ存在していない。
【発明が解決しようとする課題】
【０００３】  足を上げて就寝するための枕。仰向寝は、両足または片足、横向寝では、片手、片足を乗せて使用する。  本発明は、この課題を解決するためのものである。
【問題を解決する手段】
【０００４】  本発明は、枕の本体と枕カバーで構成する足専用の枕に関するものである。
【発明を実施するための最良の形態】
【０００５】  足専用の枕であるから、適度の高さ、硬さ、クッション並びにファッションを備えた寝具である。本体は、プラスチック又はウレタン等の軽くて足の運動に耐えられる素材を用い、且つ、通気性のある手軽なものと工作している。  枕カバーは、肌触りが良く、吸汗、抗菌、摩擦に対する耐久力等があり、且つ、寝具としてのデザインを兼ね備えた袋カバーとしている。
【発明の効果】
【０００６】  本発明によって、足専用の枕を常備し、いつでも、どこでも足を上げて就寝することができる。
【図面の簡単な説明】
【０００７】【図１】本体図
【図２】袋カバー
【図１】
2005052609.tif 000003
【図２】
2005052609.tif 000004